(57)【要約】      （修正有）【課題】クッション材を複数の粒状物とすることで、クッション材を収納部内へ円滑に挿入できるとともに、施術部位にマッサージ器本体を密着させることができるマッサージ器を提供する。【解決手段】マッサージ器本体２と、クッション材３と、マッサージ器本体を収納する第１の収納部４１および、クッション材を収納する第２の収納部４２を有する第１のカバー部４と、を備えるマッサージ器１であって、第１の収納部４１は、第２の収納部４２の外面に形成されており、クッション材３は、自由に変形する複数の粒状物からなる。【選択図】図４
0003212976.tif 000002
【実用新案登録請求の範囲】
【請求項１】
揉み玉で施術部位をマッサージするマッサージ器本体と、
前記マッサージ器本体を前記施術部位に沿って位置させるクッション材と、
前記マッサージ器本体を収納する第１の収納部と、前記第１の収納部を囲むように位置し、前記クッション材を収納する第２の収納部とを有し、前記マッサージ器本体および前記クッション材をカバーする第１のカバー部と、を備えるマッサージ器であって、
前記第１の収納部は、前記第２の収納部の外面に形成されており、
前記クッション材は、複数の粒状物からなることを特徴とするマッサージ器。
【請求項２】
前記マッサージ器本体は、弾力性のあるクッションシートにより覆われた状態で、前記第１の収納部に収納されていることを特徴とする請求項１に記載のマッサージ器。
【請求項３】
前記第１のカバー部は、さらに
前記施術部位に接触する前記第１の収納部および前記第２の収納部の各上面を覆い、前記第２の収納部に着脱可能に取付けられる第２のカバー部を有することを特徴とする請求項１又は２に記載のマッサージ器。
【考案の詳細な説明】
【技術分野】
【０００１】
本考案は、マッサージ器に関する。
【背景技術】
【０００２】
従来から椅子、座椅子、ソファー等の背もたれ部（以下、「背もたれ部」と言う。）にもたせ掛けて使用するマッサージ器がある。マッサージ器は、肩や腰などの施術部位（以下、「施術部位」と言う。）を揉み玉でマッサージするマッサージ器本体と、背もたれ部にもたせ掛けて、マッサージ器本体を施術部位に沿って位置させるクッション部とからなる。このマッサージ器は、施術者が背もたれ部にもたれ掛かった状態で、揉み玉で施術部位をマッサージすることができ、利便性が高いため、近年、鋭意研究されている。
【０００３】
例えば、特許文献１（従来例１）では、図１１で示すように、袋状のカバー本体１２０（内部にクッション素材１６０を装着するもの）自体の内側面に形成された装填部１３０にマッサージ装置１４０を固定することで、カバー本体１２０を施術部位に巻き付けてマッサージするクッションカバー１００が開示されている。
【先行技術文献】
【特許文献】
【０００４】
【特許文献１】特許第６１１３９５０号
【考案の概要】
【考案が解決しようとする課題】
【０００５】
しかし、従来例１のクッションカバー１００は、装填部１３０がカバー本体１２０の内側面に形成されているため、装填部１３０に固定されたマッサージ装置１４０が障害となり、クッション素材１６０をカバー本体１２０内へ装着し難い問題があった。また、従来例１のクッションカバー１００は、クッション素材１６０が略矩形状に形成されているため、施術部位に密着することができず、施術部位に対してマッサージ装置１４０を適切に位置させることができない問題もあった。
【０００６】
本考案は、上述した事情に鑑みてなされるものであって、第２の収納部の外面に第１の収納部を形成するとともに、第１のクッション材を複数の粒状物とすることで、第１のクッション材を第１の収納部内へ円滑に挿入することができ、施術部位に対してマッサージ器本体を密着させて効率的にマッサージすることができるマッサージ器を提供することを目的とする。
【課題を解決するための手段】
【０００７】
上記課題を解決するためになされた請求項１に記載の考案は、揉み玉で施術部位をマッサージするマッサージ器本体と、前記マッサージ器本体を前記施術部位に沿って位置させるクッション材と、前記マッサージ器本体を収納する第１の収納部と、前記第１の収納部を囲むように位置し、前記クッション材を収納する第２の収納部とを有し、前記マッサージ器本体および前記クッション材をカバーする第１のカバー部と、を備えるマッサージ器であって、前記第１の収納部は、前記第２の収納部の外面に形成されており、前記クッション材は、複数の粒状物からなることを特徴とする。
【０００８】
請求項１に記載の考案によれば、第２の収納部の外面に第１の収納部を形成するとともに、第１のクッション材を複数の粒状物とすることで、第１のクッション材を第１の収納部内へ円滑に挿入することができ、施術部位に対してマッサージ器本体を密着させて効率的にマッサージすることができる。
【０００９】
請求項２に記載の考案は、前記マッサージ器本体は、弾力性のあるクッションシートにより覆われた状態で、前記第１の収納部に収納されていることを特徴とする。
【００１０】
請求項２に記載の考案によれば、クッションシートでマッサージ器本体が覆われていることで、マッサージ器本体が落下した場合でも、クッションシートで衝撃を吸収し、マッサージ器本体が破損することを低減することができる。
【００１１】
請求項３に記載の考案は、前記第１のカバー部は、さらに、前記施術部位に接触する前記第１の収納部および前記第２の収納部の各上面を覆い、前記第２の収納部に着脱可能に取付けられる第２のカバー部を有することを特徴とする。
【００１２】
請求項３に記載の考案によれば、第２のカバー部が第１のカバー部に着脱可能に取付けられることで、第２のカバー部が汚れた際には第２のカバー部を取外して、清掃することができる。また、請求項３に記載の考案によれば、複数の表面カバー部を用意することで、施術者ごとに表面カバー部を交換することで、施術者ごとのオリジナルなマッサージ器を提供することもできる。
【考案の効果】
【００１３】
本考案によれば、第２の収納部の外面に第１の収納部を形成するとともに、第１のクッション材を複数の粒状物とすることで、第１のクッション材を第１の収納部内へ円滑に挿入することができ、施術部位に対してマッサージ器本体を密着させて効率的にマッサージするマッサージ器を提供することができる。
【図面の簡単な説明】
【００１４】
【図１】第１実施例のマッサージ器を示す斜視図である。
【図２】図１における表面カバー部を取外した状態のマッサージ器の斜視図である。
【図３】図２のマッサージ器の背面図である。
【図４】図２のＡ−Ａ線で切断した概略断面図である。
【図５】第１実施例におけるマッサージ器本体のみを収納した際の外装カバー部の斜視図である。
【図６】第１実施例の表面カバー部の斜視図である。
【図７】第１実施例のマッサージ器本体の斜視図である。
【図８】図１のマッサージ器をソファーに載置した際の概略図である。
【図９】図１のマッサージ器を組み立てる組立フローチャートである。
【図１０】図１のマッサージ器のマッサージ動作を示す制御フローチャートである。
【図１１】従来例１のクッションカバーの構成を示す斜視図である。
【考案を実施するための形態】
【００１５】
以下、本考案を図面に示す実施例に基づいて説明する。
（第１実施例）
本考案のマッサージ器１に関して、図１乃至８を用いて説明する。
図１は第１実施例のマッサージ器１を示す斜視図であり、図２は図１における表面カバー部５を取外した状態のマッサージ器１の斜視図であり、図３は図２のマッサージ器１の背面図であり、図４は図２のＡ−Ａ線で切断した概略断面図であり、図５は第１実施例におけるマッサージ器本体２のみを収納した際の外装カバー部４の斜視図であり、図６は第１実施例の表面カバー部５の斜視図であり、図７は第１実施例のマッサージ器本体２の斜視図であり、図８は図１のマッサージ器１をソファー６に載置した際の概略図である。
図４ではマッサージ器本体２の内部構成を省略し、図７ではクッションシート（不図示）を省略した。
なお、マッサージ器１の幅方向をＸ軸、マッサージ器１の縦方向をＹ軸、マッサージ器１の厚さ方向をＺ軸とする。
【００１６】
図１で示すように、引用符号１は、本実施例のマッサージ器１である。マッサージ器１は、図１、２、４および７で示すように、施術部位をマッサージするマッサージ器本体２と、マッサージ器本体２を施術部位に沿って位置させるクッション材３と、クッション材３およびマッサージ器本体２をカバーする外装カバー部４（第１のカバー部）と、外装カバー部４の上面（本体収納部４１（第１の収納部）および収納部４２（第２の収納部）の各上面）を覆う表面カバー部５（第２のカバー部）と、を備える。
【００１７】
図７で示すように、マッサージ器本体２は、モータなどの駆動部２１ａを内蔵したハウジング部２１と、駆動部２１ａからの電力で施術部位をマッサージする一対の揉み玉ユニット２２と、駆動部２１ａ等に電力を供給する電力供給部２３とを有する。また、マッサージ器本体２は、ハウジング部２１および電力供給部２３を覆うクッションシート（不図示）と、マッサージ器本体２への操作入力を受付ける操作入力部２４と、操作入力部２４からの操作入力に応じて、駆動部２１ａ、揉み玉ユニット２２および電力供給部２３などのマッサージ器本体２全体の動作を制御する制御部２５と、を有する。
【００１８】
ハウジング部２１は、図７で示すように、樹脂材料などからなり、例えば扁平な楕円形状をしたものである。ハウジング部２１内には、操作入力部２４からの操作入力に応じて正回転および逆回転へ切り替わる駆動部２１ａと、駆動部２１ａからの動力を一対の揉み玉ユニット２２へ伝達する歯車などの伝達機構部（不図示）とが形成されている。このハウジング部２１の上面には、左右一対の揉み玉ユニット２２が、首などの施術部位を挟むことができる間隔で形成されている。なお、駆動部２１ａの正回転とは時計回りの回転であり、駆動部２１ａの逆回転とは反時計回りの回転である。
【００１９】
揉み玉ユニット２２は、図７で示すように、ハウジング部２１の上面において回転可能に軸支されたベース部２２ａと、ベース部２２ａの上面に形成された一対の揉み玉２２ｂとを有する。ベース部２２ａは、樹脂材料などで形成されており、例えば略円板形状をしたものである。このベース部２２ａの半径方向には、一対の揉み玉２２ｂが位置している。
【００２０】
揉み玉２２ｂは、図４および７で示すように、樹脂材料などからなり、例えば略半球形状をしたものである。揉み玉２２ｂの内部には、操作入力部２４からの押圧情報に応じて、赤色および青色に点灯する点灯部２２ｃおよび揉み玉２２ｂを加熱する加熱部２２ｄが形成されている。点灯部２２ｃは例えばＬＥＤなどであり、加熱部２２ｄは例えばヒータなどである。
【００２１】
一対の揉み玉２２ｂは、駆動部２１ａが正回転すると揉み下げるようなマッサージ動作（以下、「揉み下げ動作」と言う。）を行い、駆動部２１ａが逆回転すると揉み上げるようなマッサージ動作（以下、「揉み上げ動作」と言う。）を行う。すなわち、一対の揉み玉２２ｂは、駆動部２１ａの正回転および逆回転の切り替えにより、揉み下げ動作と揉み上げ動作が切り替えられるように形成されている。
【００２２】
電力供給部２３は、図７で示すように、例えばバッテリーなどである。電力供給部２３は、操作入力部２４、駆動部２１ａ、点灯部２２ｃおよび加熱部２２ｄと電気的に接続されており、操作入力部２４からの押圧情報に応じて、駆動部２１ａ、点灯部２２ｃおよび加熱部２２ｄへ電力を供給するように形成されている。この電力供給部２３は、マッサージ器本体２がコンパクトになるように、ハウジング部２１の上面における一対の揉み玉２２ｂの間に固定されていると良い。
【００２３】
電力供給部２３は、図７で示すように、配線コード２３aが導通されており、アダプター（不図示）に接続可能に形成されている。電力供給部２３は、配線コード２３aをコンセント（不図示）に挿入されたアダプター（不図示）に接続することで、電力を充電することができるように形成されている。
【００２４】
クッションシート（不図示）は、弾力性のあるシート状のものであり、例えばウレタン素材からなる。クッションシート（不図示）は、一対の揉み玉ユニット２２を退避して、ハウジング部２１および電力供給部２３を覆うように形成されており、一対の揉み玉ユニット２２が回転可能なように、ハウジング部２１および電力供給部２３を覆うように形成されている。
【００２５】
操作入力部２４は、図２および７で示すように、例えば押圧スイッチなどである。操作入力部２４は、押圧時間および押圧回数などの操作入力に応じて、押圧情報を制御部２５へ送信する。この操作入力部２４は、３秒間より短い押圧時間である場合には、短い押圧情報を制御部２５へ送信し、それよりも長い押圧時間である場合には、長い押圧情報を制御部２５へ送信する。
【００２６】
制御部２５は、図４および７で示すように、例えばＣＰＵ（Central Processing Unit）などを搭載した制御基板などである。制御部２５は、電力供給部２３、駆動部２１ａ、点灯部２２ｃ、加熱部２２ｄおよび操作入力部２４などと電気的に接続されており、操作入力部２４からの押圧情報に応じて、電力供給部２３から駆動部２１ａ、点灯部２２ｃおよび加熱部２２ｄ等へ通電する。
【００２７】
より具体的には、制御部２５は、操作入力部２４から押圧情報を取得すると、駆動部２１ａの起動および回転切り替え、点灯部２２ｃの点灯および加熱部２２ｄの起動を制御し、操作入力部２４から長い押圧情報を取得すると、駆動部２１ａ、点灯部２２ｃおよび加熱部２２ｄへの通電を停止する。
【００２８】
図４で示すように、クッション材３は、複数の粒状物であり、例えば楕円体からなるものである。クッション材３は、例えば、ポリプロピレンやポリエチレン等のポリオレフィン系合成樹脂からなるビーズ、ポリスチレンやポリ塩化ビニルなどの熱可塑性合成樹脂等からなるビーズ、発泡させた合成樹脂素材等からなる発泡ビーズ、または発泡スチロール等のビーズなどである。
【００２９】
図５で示すように、外装カバー部４は、マッサージ器本体２を収納する本体収納部４１と、本体収納部４１を囲むように位置し、クッション材３を収納する収納部４２と、を有する。
【００３０】
本体収納部４１は、図２および３で示すように、例えばポリエステルなどの伸縮性を有する素材で形成されており、本体収納部４１の上面に形成されている。本体収納部４１の正面側には、マッサージ器本体２を挿入する本体側挿入口４１ａが形成されている。
【００３１】
収納部４２は、図２および５で示すように、例えばポリエステルなどの伸縮性を有する素材で形成されており、例えば略矩形状をしたものである。収納部４２は、外周面に表面カバー部５を着脱する着脱部４２ａが形成されており、正面側および背面側には、収納部４２内へクッション材３を挿入する挿入口４２ｂ、ｃが形成されている。また、収納部４２の裏面側はフェルト生地などで覆われている。
【００３２】
図６で示すように、表面カバー部５は、例えばポリエステルなどの伸縮性を有する素材で形成されており、収納部４２の上面とほぼ同じ矩形状をしたものである。表面カバー部５の外周には、着脱部４２ａに着脱する表面側着脱部５１が形成されている。
【００３３】
本実施例のマッサージ器１は、図３で示すように、外装カバー部４の上面に本体収納部４１を形成することで、マッサージ器本体２を収納した際に、一対の揉み玉２２ｂが本体収納部４１の上面から突出させることができる。すなわち、本実施例のマッサージ器１は、外装カバー部４内に一対の揉み玉２２ｂが埋没しないため、一対の揉み玉２２ｂで施術部位を効率的にマッサージすることができる。
【００３４】
本実施例のマッサージ器１は、マッサージ器本体２がクッションシート（不図示）で覆われているため、マッサージ器本体２が落下した場合においても、クッションシート（不図示）で衝撃を吸収し、マッサージ器本体２（特に、駆動部２１ａや伝達機構（不図示））が破損することを低減することができる。
【００３５】
本実施例のマッサージ器１は、収納部４２内にクッション材３が収納されているとともに、収納部４２の裏面をフェルト生地で形成されているため、裏面が表側となるように載置することで、通常のクッションと同様に使用することができる。
【００３６】
本実施例のマッサージ器１は、クッション材３が複数の粒状物であるビーズで形成されているため、外装カバー部４が自由に変形するため、施術部位に沿ってマッサージ器本体２を密着させることができる。すなわち、本実施例のマッサージ器１は、施術部位に密着させることで、揉み玉２２ｂの揉み下げ動作および揉み上げ動作を施術部位に確実に伝え、効率良くマッサージをすることができる。
【００３７】
本実施例のマッサージ器１は、クッション材３を複数の粒状物で形成したため、自由に外装カバー部４が変形するため、不安定な場所に載置した場合でも、マッサージ器１を簡単に固定することができる。
【００３８】
例えば、図８で示すように、本実施例のマッサージ器１をソファー６等の角部にもたせ掛けた場合には、ソファー６の曲率に合わせて外装カバー部４を変形させて、ソファー６の角部に密着させることで、ソファー６に対してマッサージ器１を簡単に固定することができる。
【００３９】
また、本実施例のマッサージ器１は、配線コネクター２３aを介して電力供給部２３に電力を充電できるため、配線コネクター２３aからアダプター（不図示）を分離した場合においても、電力供給部２３から駆動部２１a、点灯部２２ｃ、加熱部２２ｄへ電力を供給し、一対の揉み玉２２ｂによる揉み上げ動作や揉み下げ動作を行うことができる。
【００４０】
さらに、本実施例のマッサージ器１は、特にコンセント（不図示）に挿入した状態で使用する必要がないため、使用時における利便性を向上させることもできる。
【００４１】
次に、本実施例のマッサージ器１を組み立てる組立作業について説明する。初期条件としてマッサージ器本体２は図７のように組み立てられており、外周がクッションシート（不図示）で覆われているものとする。また、電力供給部２３には、電力が充電されているものとし、配線コネクター２３aからアダプター（不図示）が脱離されているものとする。
【００４２】
図９は、図１のマッサージ器１を組み立てる組立フローチャートである。
【００４３】
図９で示すように、作業者は、本体側挿入口４１ａを開口させて、マッサージ器本体２を本体収納部４１へ収納する（ＳＴＥＰ１１、ＳＴＥＰ１２）。作業者は、マッサージ器本体２を本体収納部４１へ収納すると、本体側挿入口４１ａを封止する（ＳＴＥＰ１３）。
【００４４】
この封止は、マッサージ器本体２を簡単に本体収納部４１から取り出せないように封止固定すると良い。本体側挿入口４１ａを封止固定することで、施術者などがマッサージ器本体２を本体収納部４１から取り出して、マッサージ器本体２の設定等を変更して、マッサージ器本体２が故障することを防ぐことができる。
【００４５】
作業者は、本体側挿入口４１ａを封止した後に、挿入口４２ｂ、ｃを開口し、クッション材３を収納部４２へ収納する（ＳＴＥＰ１４）。この際、正面側および背面側の挿入口４２ｂ、ｃからクッション材３を挿入するため、収納部４２へクッション材３を簡単に収納することができる。
【００４６】
作業者は、クッション材３を収納部４２へ収納した後に、挿入口４２ｂ、ｃを封止する（ＳＴＥＰ１５）。挿入口４２ｂ、ｃの封止も本体側挿入口４１ａの封止と同様に封止固定すると良い。この構成により、施術者などが挿入口４２ｂ、ｃを開口させて、クッション材３が収納部４２から飛び出すことを防止することができる。
【００４７】
作業者は、挿入口４２ｂ、ｃを封止すると、着脱部４２ａと表面側着脱部５１を装着させて、表面カバー部５を外装カバー部４に装着させ、マッサージ器１の組立作業を終了する（ＳＴＥＰ１６、ＳＴＥＰ１７）。
【００４８】
本実施例のマッサージ器１は、クッション材３を収納する収納部４２とは別個に形成された本体収納部４１にマッサージ器本体２を収納するため、クッション材３を収納部４２へ収納する際にマッサージ器本体２が障害になることを防ぐことができる。
【００４９】
また、本実施例のマッサージ器１は、表面カバー部５を外装カバー部４から着脱自在に形成することで、施術部位をマッサージして表面カバー部５が汚れた際に、外装カバー部４から表面カバー部５を取外して、簡単に表面カバー部５を清掃することができる。特に、表面カバー部５をポリエステルなどの洗濯可能な素材で形成しているため、汚れた表面カバー部５を簡単に綺麗な状態にすることができる。
【００５０】
さらに、本実施例のマッサージ器１は、複数の表面カバー部５を用意することで、施術者ごとに表面カバー部５のみを交換するだけで、施術者ごとのオリジナルなマッサージ器１を提供することができる。
【００５１】
次に、本実施例のマッサージ器１のマッサージ動作について説明する。初期条件として、外装カバー部４にマッサージ器本体２およびクッション材３が収納されており、外装カバー部４に表面カバー部５が装着されている状態とする。また、電力供給部２３には電力が充電されているものとし、配線コネクター２３aからアダプター（不図示）が脱離されているものとする。
【００５２】
図１０は図１のマッサージ器１のマッサージ動作を示す制御フローチャートである。
【００５３】
図１０で示すように、施術者が操作入力部２４に押圧すると、制御部２５は、操作入力部２４の押圧情報が短い押圧情報か否かを判定する（ＳＴＥＰ２１、ＳＴＥＰ２２ＹＥＳ、ＳＴＥＰ２３）。制御部２５が、操作入力部２４の押圧情報が短い押圧情報と判定すると、電力供給部２３から駆動部２１ａおよび点灯部２２ｃへ通電し、駆動部２１ａを正回転させて、点灯部２２ｃを青色に点灯させる（ＳＴＥＰ２３ＹＥＳ、ＳＴＥＰ２４、ＳＴＥＰ２５）。駆動部２１ａが正回転すると、一対の揉み玉２２ｂは揉み下げ動作を行う。
【００５４】
制御部２５が、駆動部２１ａおよび点灯部２２ｃを動作させた後、操作入力部２４から押圧情報を取得したか否かを判定する（ＳＴＥＰ２６）。制御部２５は、操作入力部２４から押圧情報を取得していないと判定すると、引き続き駆動部２１ａおよび点灯部２２ｃの動作を継続する（ＳＴＥＰ２６ＮＯ、ＳＴＥＰ２４、ＳＴＥＰ２５）。
【００５５】
制御部２５が、操作入力部２４から押圧情報を取得し、取得した押圧情報が短い押圧情報と判定すると、駆動部２１ａを逆回転させる（ＳＴＥＰ２６ＹＥＳ、ＳＴＥＰ２７ＹＥＳ、ＳＴＥＰ２８）。駆動部２１ａが逆回転すると、一対の揉み玉２２ｂは揉み上げ動作へ切り替わる。制御部２５は、駆動部２１ａを逆回転させた後、操作入力部２４から押圧情報を取得したか否かを再度判定する（ＳＴＥＰ２９）。
【００５６】
制御部２５は、操作入力部２４から押圧情報を取得し、取得した押圧情報が短い押圧情報と判定すると、駆動部２１ａを正回転させ、点灯部２２ｃを赤色に点灯させる（ＳＴＥＰ２９ＹＥＳ、ＳＴＥＰ３０ＹＥＳ、ＳＴＥＰ３１、ＳＴＥＰ３２）。駆動部２１ａが正回転になると、一対の揉み玉２２ｂは揉み上げ動作から揉み下げ動作へ切替る。制御部２５は、点灯部２２ｃを赤色に点灯させた後、電力供給部２３から加熱部２２ｄへ通電し、加熱部２２ｄの加熱動作を行う（ＳＴＥＰ３３）。
【００５７】
制御部２５は、加熱部２２ｄを動作させると、操作入力部２４から押圧情報を所得したか否かを再度判定する（ＳＴＥＰ３４）。制御部２５は、操作入力部２４から押圧情報を所得し、取得した押圧情報が短い押圧情報と判定すると、駆動部２１ａを逆回転させる（ＳＴＥＰ３４ＹＥＳ、ＳＴＥＰ３５ＹＥＳ、ＳＴＥＰ３６）。駆動部２１ａが逆回転すると、一致の揉み玉２２ｂは揉み上げ動作へ切り替わる。
【００５８】
そして、制御部２５は、操作入力部２４から押圧情報を取得したか否かを再度判定する（ＳＴＥＰ３７）。制御部２５は、操作入力部２４から押圧情報を取得すると、加熱部２２ｄへの通電を停止させて、取得した押圧情報が短い押圧情報か否かを判定する（ＳＴＥＰ３７ＹＥＳ、ＳＴＥＰ３８、ＳＴＥＰ２３）。
【００５９】
制御部２５は、取得した押圧情報が短い押圧情報と判定すると、駆動部２１ａを正回転させて、点灯部２２ｃを青色に点灯し、操作入力部２４から押圧情報を取得したか否かを判定し（ＳＴＥＰ２３ＹＥＳ、ＳＴＥＰ２４、ＳＴＥＰ２５、ＳＴＥＰ２６）、上述の動作を繰り返す（ＳＴＥＰ２７乃至ＳＴＥＰ３８）。
【００６０】
一方、制御部２５は、取得した押圧情報が短い押圧情報ではないと判定した場合（操作入力部２４から長い押圧情報を取得した場合）には、駆動部２１ａおよび加熱部２２ｄへの通電を停止し、マッサージ器１のマッサージ動作を終了する（ＳＴＥＰ２３ＮＯ、ＳＴＥＰ３９、ＳＴＥＰ４０）。
【００６１】
本実施例のマッサージ器１は、操作入力部２４の押圧回数に応じて、駆動部２１ａの回転方向や加熱部２２ｄの動作が切り替わるため、施術者の好みに合わせた施術を簡単に設定することができる。
【００６２】
本実施例のマッサージ器１は、操作入力部２４の押圧回数および押圧時間により、駆動部２１ａ、点灯部２２ｃ、加熱部２２ｄに関する動作の切り替えおよび停止を行うため、複数のスイッチを設ける必要がなく、マッサージ器１を製造するコストを低減することができる。
【００６３】
また、本実施例のマッサージ器１は、加熱部２２ｄの動作中は、点灯部２２ｃを赤色に点灯し、加熱部２２ｄを動作させていないときは、点灯部２２ｃを青色に点灯することで、加熱部２２ｄの動作の有無を簡単に施術者へ伝えることができる。
【００６４】
さらに、本実施例のマッサージ器１は、一対の揉み玉２２ｂによる揉み上げ動作と揉み下げ動作の切り替えに加えて、加熱部２２ｄの通電のＯＮとＯＦＦを切り替えることで、４通りのマッサージ動作を行うことができ、施術者の要望により適したマッサージ動作を行うことができる。
【００６５】
（他の実施例）
上記実施例の本体収納部４１として、収納部４２の上面に形成されるものとして説明したが、特にこれに限られるものではなく、収納部４２の外面に形成されていれば良い。
【００６６】
上記実施例の点灯部２２ｃは、赤色および青色に点灯するものとして説明したが、特にこれに限られるものではなく、加熱部２２ｄの通電に応じて、点灯色が切り替わるように形成されていれば良い。
【００６７】
上記実施例のマッサージ器本体２は、クッションシート（不図示）で覆われているものとして説明したが、特にこれに限られるものではなくても良い。
【００６８】
上記実施例のマッサージ器１として、収納部４２の上面に表面カバー部５が着脱自在に形成するものとして説明したが、特にこれに限られるものではなく、表面カバー部５を備えていないものとしても良い。この構成により、点灯部２２ｃの点灯色を施術者により明確に伝えることができる。
【００６９】
上記実施例の収納部４２には、クッション材３を挿入する挿入口４２ｂ、ｃを正面側および背面側の２カ所に設けるものとして説明したが、特にこれに限られるものではなく、正面側、背面側、側面側の３カ所以上に設ける構成としても良い。また、収納部４２の挿入口４２ｂ、ｃを、正面側、背面側または側面側のいずれか１カ所に設ける構成としても良い。
【００７０】
また、上記実施例のマッサージ器１において、揉み玉２２ｂを加熱する加熱部２２ｄや揉み玉２２ｂを点灯する点灯部２２ｃを設けるものとして説明したが、特にこれに限られるものではなく、加熱部２２ｄや点灯部２２ｃを備えない構成としても良い。
【００７１】
さらに、上記実施例のマッサージ器１において、一対の揉み玉２２ｄは、操作入力部２４の押圧回数に応じて、揉み上げ動作と揉み下げ動作に切り替わるものとして説明したが、揉み上げ動作又は揉み下げ動作のいずれかのみ行うものとしても良い。これにより、マッサージ器１の制御を簡略化することができ、製造コストを低減化することができる。
【００７２】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００７３】
１…マッサージ器
２…マッサージ器本体
２１…ハウジング部      ２１a…駆動部    ２２…揉み玉ユニット      ２２a…ベース部      ２２ｂ…揉み玉      ２２ｃ…点灯部      ２２ｄ…加熱部    ２３…電力供給部      ２３a…配線コード    ２４…操作入力部    ２５…制御部
３…クッション材
４…外装カバー部（第１のカバー部）
４１…本体収納部（第１の収納部）      ４１a…本体側挿入口    ４２…収納部（第２の収納部）      ４２a…着脱部      ４２ｂ、ｃ…挿入口
５…表面カバー部（第２のカバー部）
５１…表面側着脱部
６…ソファー
【図１】
0003212976.tif 000003
【図２】
0003212976.tif 000004
【図３】
0003212976.tif 000005
【図４】
0003212976.tif 000006
【図５】
0003212976.tif 000007
【図６】
0003212976.tif 000008
【図７】
0003212976.tif 000009
【図８】
0003212976.tif 000010
【図９】
0003212976.tif 000011
【図１０】
0003212976.tif 000012
【図１１】
0003212976.tif 000013